(57)【特許請求の範囲】
【請求項１】
透明の保護カバーにより覆われてなる展示室を具備し、
この展示室内には、種類の異なる外壁パネルにより内部に液体が貯留可能に形成されてなる複数の試験器が互いに隣接して展示され、
各試験器は、その周囲の一部に前方に開口する開口部を備えているとともに、この開口部を水密状態で遮蔽する透明板を備えており、
各試験器の内部に貯留された液体の経時的な透水による変化量を透明板を介して覗き見ることによって各試験器の透水性を比較するようになされたことを特徴とする外壁パネルの透水性比較装置。
【発明の詳細な説明】
【０００１】
【発明の属する技術分野】
本発明は、外壁パネルの違いを、種類の異なる外壁パネルとの透水性の差により比較してもらうようになされた外壁パネルの透水性比較装置に関するものである。
【０００２】
【従来の技術】
従来より、住宅建物の外壁には、断熱性などを高める上で、内部に気泡を含んだ軽量気泡コンクリートよりなる外壁パネルが使用されている。この外壁パネルとしては、気泡同士が独立しているいわゆる独立気泡のものや、気泡同士がミクロの毛細管で連続しているいわゆる連続気泡のものなどがある。これらの外壁パネルの違いは、住宅建物のカタログに紹介したり、展示場に訪れた購入予定者に口頭で説明したりしていた。
【０００３】
【発明が解決しようとする課題】
しかし、実際に住宅建物の外壁に使用されている外壁パネルは、外観上は略同じであるため、その透水性の違いなどをカタログで紹介したり、口頭で説明しても、容易に理解してもらい難く、説明に時間がかかって煩わしくなる。
【０００４】
さらに、カタログでの紹介や口頭での説明の場合、透水性の違いなどを写真で見て把握してもらうだけになってしまうので、それぞれの外壁パネルの透水性の差を強く印象付けることができないといった不都合を生じることとなる。
【０００５】
本発明は、かかる点に鑑みてなされたものであり、その目的とするところは、種類の異なる外壁パネルの透水性の違いを容易に把握でき、その透水性の差を印象付けることができる外壁パネルの透水性比較装置を提供することにある。
【０００６】
【課題を解決するための手段】
上記目的を達成するために、本発明が講じた解決手段は、外壁パネルの透水性比較装置として、透明の保護カバーにより覆われてなる展示室を具備する。この展示室内に、種類の異なる外壁パネルにより内部に液体が貯留可能に形成されてなる複数の試験器を互いに隣接して展示する。各試験器に、その周囲の一部に前方に開口する開口部を備えるとともに、この開口部を水密状態で遮蔽する透明板を備える。そして、各試験器の内部に貯留された液体の経時的な透水による変化量を透明板を介して覗き見ることによって各試験器の透水性を比較するようになされたものである。
【０００７】
この場合、各試験器の内部に貯留された液体を透明板を介して覗き見ることによって、各試験器内部の液体の経時的な透水による変化量が一目で比較されることになり、種類の異なる外壁パネルの差が明確なものとなる。これにより、種類の異なる外壁パネルの透水性の違いを容易に把握してもらえ、その透水性の差を印象付けることが可能となる。
【０００８】
しかも、各試験器の周囲において内部から染み出す液体のシミの出具合により、各外壁パネルの透水性の差を各試験器によって実体験することが可能となる。
【０００９】
さらに、展示室が保護カバーにより覆われているので、展示室内を気密状態にすることが可能となり、各試験器内の液体の蒸発が効果的に抑制され、各試験器内の液体の透水による変化量が正確に把握されることになる。
【００１０】
【発明の実施の形態】
以下、本発明の実施の形態を図面に基づいて説明する。
【００１１】
図１は外壁パネルの透水性比較装置１の全体構成の概略を示し、図２は同透水性比較装置１の使用状態を説明している。
【００１２】
すなわち、この外壁パネルの透水性比較装置１は、図１及び図２に示すように、展示室２を具備している。
【００１３】
展示室２は、平面視で略矩形状を呈するプレート状の展示台３と、この展示台３を前後左右方向及び上方から覆う透明の保護カバー４とを備えている。
【００１４】
展示台２は、図２に示すフロア面１１に据え付けられた台座１２の上面に設置されている。この場合、台座１２上に設置された展示台３は、大人Ｘの股下高さ付近に位置している。
【００１５】
保護カバー４は、展示台３をそれぞれ前後方向から覆う左右方向に長い略矩形状の第１及び第２透明板４ａ，４ｂと、展示台３をそれぞれ左右方向から覆う略正方形状の第３及び第４透明板４ｃ，４ｄと、展示台３を上方から覆う左右方向に長い第５透明板４ｅとからなり、展示台３とで左右方向に長い略ボックス状に形成されてなる。この保護カバー４つまり第１〜第５透明板４ａ〜４ｅは、例えばポリカーボネートなどの強化プラスチック材料により構成され、その各辺をそれぞれ接着剤（図示せず）で接着することにより、展示室２内を略気密状態に保持するようにしている。
【００１６】
この展示室２内には、種類の異なる外壁パネルよりなる２つの第１及び第２試験器５，６が、展示台３短手方向の手前側（図２では左側）から見て展示台３の長手方向（左右方向）に互いに隣接して展示されている。この各試験器５，６としては、双方共に内部に気泡を含んだ軽量気泡コンクリートよりなる略矩形状の外壁パネル片５ａ，６ａをそれぞれ組み立てたものが適用されている。そして、第１試験器５（図１では左側）を組み立てるに当たり、独立気泡の外壁パネル片５ａ，…が４枚用いられている。また、第２試験器６（図１では右側）を組み立てるに当たり、連続気泡の外壁パネル片６ａ，…が４枚用いられている。
【００１７】
各試験器５，６は、展示台３上にそれぞれ伏せて安定良く設置される外壁パネル片５ａ，６ａの左右両側縁及び後縁に対し残る３枚の各外壁パネル片５ａ，６ａを水密状態に接着して組み付けられている。これにより、前方に開口する開口部としての前方開口部５ｂ，６ｂ及び上方に開口する上方開口部５ｃ，６ｃがそれぞれ形成されてなる。
【００１８】
第１試験器５の各外壁パネル片５ａでは、独立気泡であるために敢えて薄肉なものが適用されている。これに対し、第２試験器６の各外壁パネル片６ａでは、連続気泡であるために第１試験片５のものよりも厚肉な略２倍の肉厚のものが適用されている。この場合、各試験器５，６の内部寸法、つまり上下方向内寸法、左右方向内寸法及び前後方向内寸法（奥行き方向内寸法）は、それぞれ一致するようになされている。
【００１９】
各試験器５，６の前方開口部５ｂ，６ｂにはそれぞれ透明板７が装着されている。この各透明板７は、例えばアクリル材料よりなり、各試験器５，６の前方開口部５ｂ，６ｂを水密状態で遮蔽するようになされている。各試験器５，６は、それぞれ透明板７により前方開口部５ｂ，６ｂを遮蔽することによって内部容積が一致するようになされている。各試験器５，６内には、それぞれ上方開口部５ｃ，６ｃを介して同量の水Ｒが満水状態に貯留されるようになっている。この場合、各試験器５，６の外壁パネル片５ａ，６ａの肉厚に差があるため、第１試験器５はその下面にスペーサ８（図１に表れる）を介して展示台３上に設置されている。これにより、各試験器５，６内に当初満水状態に貯留された互いの水Ｒの水位が前方より見て一致するようになっている。
【００２０】
次に、この外壁パネルの透水性比較装置１の使用方法を図１及び図２に基づいて説明する。
【００２１】
この場合、使用するに当たり、展示台３の上面に、独立気泡の外壁パネル片５ａよりなる第１試験器５をスペーサ８を介して装着すると共に、連続気泡の外壁パネル片６ａよりなる第２試験器６を装着し、この各試験器５，６を展示台３長手方向（左右方向）に互いに隣接するように展示しておく。
【００２２】
先ず、展示室２の展示台３の上面に装着した第１試験器５及び第２試験器６の内部にそれぞれ上方開口部５ｃ，６ｃを介して水Ｒを同量注入する。このとき、各試験器５，６内に満水状態に貯留した互いの水Ｒの水位は前方より見て互いに一致している。
【００２３】
次いで、展示台３に対し保護カバー４を装着し、展示室２内を気密状態にする。これにより、各試験器５，６内の水Ｒの蒸発を効果的に抑制できることになる。
【００２４】
しかる後、例えば数十分経過した後、各試験器５，６の透水性を比較する。すなわち、大人Ｘ自らの目で、第１及び第２試験器５，６内に貯留されてから数十分経過後の水Ｒの水位をそれぞれ透明板７を介して覗き見る。このとき、第１試験器５周囲の薄肉な外壁パネル片５ａには大した変化が見受けられないものの、第２試験器６周囲の外壁パネル片６ａには、厚肉であるにもかかわらず内部から水Ｒが染み出すシミＲａ，…（図１に表れる）の発生が随所に窺える。
【００２５】
これにより、各試験器５，６内の水Ｒの経時的な透水による変化量（水位の変化）を一目で比較することが可能となり、種類の異なる外壁パネルの差が明確なものとなる。このため、種類の異なる外壁パネルの透水性の違いを容易に把握してもらうことができ、その透水性の差を印象付けることができる。
【００２６】
しかも、厚肉であるにもかかわらず第２試験器６の周囲においてのみ発生するシミＲａにより、各外壁パネルの透水性の差を各試験器５，６によってわかり易く実体験することができる。
【００２７】
さらに、この外壁パネルの透水性比較装置１を、住宅展示場に設置しておき、この住宅展示場を訪れた人に比較してもらうことで、外壁パネルの種類の違いによって透水性がどのように異なるかを目の当たりに知ってもらうことができる。
【００２８】
さらに、展示台３に対し保護カバー４を装着して展示室２内を略気密状態にすることにより、各試験器５，６内の水Ｒの蒸発を効果的に抑制し、各試験器５，６内の水Ｒの透水による変化量を正確に把握することができる。
【００２９】
なお、本実施形態では、種類の異なる外壁パネルよりなる２つの第１及び第２試験器５，６の透水性を比較できるようにしたが、種類の異なる外壁パネルよりなる３つ以上の試験器の透水性を比較できる透水性比較装置が構成されていても良い。この場合には、例えば、独立気泡の第１試験器及び連続気泡の第２試験器に加えて、気泡同士が部分的に一部連続する外壁パネル片よりなる第３試験器などとの透水性をも比較することができる。
【００３０】
また、本実施形態では、４枚の外壁パネル片５ａ，６ａにより各試験器５，６を形成したが、外壁パネル片の枚数が限定されるものではなく、底部と開口部を有する周囲とを備えていれば各試験器が何枚の外壁パネルで形成されていても良い。しかも、各試験器が厚肉な単一の外壁パネル片により形成されるようにしても良く、この場合には、単一の外壁パネル片の内部を液体貯留可能にくり抜いて上方及び前方に開口する開口部を形成する必要がある。
【００３１】
さらに、上記実施形態では、第１試験器５の外壁パネル片５ａとして、第２試験器６の外壁パネル片６ａの肉厚の略半分のものを適用したが、第２試験器の外壁パネル片と同厚の厚肉な独立気泡の外壁パネル片により第１試験器が形成されていても良いのは勿論である。
【００３２】
【発明の効果】
以上のように、本発明における外壁パネルの透水性比較装置によれば、各試験器内の液体を透明板を介して覗き見ることで、各試験器内の液体の経時的な透水による変化量を一目で比較することが可能となり、種類の異なる外壁パネルの差を明確にして、種類の異なる外壁パネルの透水性の違いを容易に把握でき、その透水性の差を印象付けることができる。
【００３３】
しかも、各試験器周囲でのシミの出具合によって各外壁パネルの透水性の差を実体験することができる。さらに、展示室を保護カバーにより覆うことで、展示室内を気密状態にし、各試験器内の液体の蒸発を効果的に抑制して、各試験器内の液体の透水による変化量を正確に把握することができる。
【図面の簡単な説明】
【図１】本発明の実施形態に係わる外壁パネルの透水性比較装置の全体構成の概略を示す斜視図である。
【図２】外壁パネルの透水性比較装置の側面図である。
【符号の説明】
１    透水性比較装置
２    展示室
４    保護カバー
５    第１試験器
５ａ  前方開口部（開口部）
６    第２試験器
６ａ  前方開口部（開口部）
７    透明板
Ｒ    水（液体）
【図１】
0003688911.tif 000002
【図２】
0003688911.tif 000003